(57)【特許請求の範囲】
【請求項１】
幅寸法が奥行き寸法より大きな本体ケースの内部に、送風手段と、貯水する貯水容器と、前記貯水容器から吸水する加湿フィルターと、前記貯水容器に水を供給する給水タンクとを備え、前記送風手段を、前記本体ケースの一側方の空間に配置し、前記給水タンクを、前記本体ケースの他側方の空間に配置し、前記貯水容器を、前記一側方の空間下部と前記他側方の空間下部に配置し、前記本体ケースのケース背面又はケース側面の少なくとも一方に吸込口を形成し、前記本体ケースのケース天面に吹出口を形成した加湿装置であって、前記ケース天面を、前記一側方の空間上部を覆う送風側天面と、前記他側方の空間上部を覆うタンク側天面とで構成し、前記送風手段を、ファン吸気口を下方としてモータ部を前記送風側天面に取り付け、前記吹出口を、平面視で前記モータ部の配設位置以外となる前記送風側天面に配置し、前記送風手段の下方に導風筒を設け、前記導風筒によって、加湿空気を前記ファン吸気口に導く中央連通口を形成し、前記吸込口から前記中央連通口に至る風路に、前記加湿フィルターを配置し、前記中央連通口の外周には仕切部が形成され、前記仕切部によって一側方の空間を下方空間と上方空間とに仕切り、前記上方空間が下方に向かうにしたがって広がる筒状である前記導風筒の外周部に形成され、上下面を開口とした枠状にフィルター材を配置して前記加湿フィルターを形成し、前記加湿フィルターの上端部を中央連通口の周囲に当接させ、前記加湿フィルターを前記下方空間に配置するとともに前記貯水容器内に載置し、前記吸込口を、上下方向に上部吸込口と下部吸込口とに２分割し、前記下部吸込口を前記下方空間に臨んで開口し、前記上部吸込口を前記上方空間に臨んで開口し、前記仕切部が、前記本体ケースのケース前面側に前方連通口を形成し、前記前方連通口によって、前記上方空間と前記下方空間とを連通し、前記上方空間によって、前記上部吸込口から前記前方連通口に至る吸込風路が形成されることを特徴とする加湿装置。
【請求項２】
前記吸込口を前記ケース背面に形成し、前記仕切部が、前記ケース側面側に側方連通口を形成し、前記側方連通口によって、前記上方空間と前記下方空間とを連通したことを特徴とする請求項１に記載の加湿装置。
【請求項３】
前記本体ケースを、平面視で長円形状としたことを特徴とする請求項１または請求項２に記載の加湿装置。
【請求項４】
前記吸込口を、前記一側方の空間を形成する前記ケース背面と、前記他側方の空間を形成する前記ケース背面とに形成したことを特徴とする請求項１から請求項３に記載の加湿装置。
【請求項５】
板状にフィルター材を配置して前記加湿フィルターを形成したことを特徴とする請求項１に記載の加湿装置。
【請求項６】
前記中央連通口を前記加湿フィルターで覆い、前記貯水容器の前記水を前記加湿フィルターに供給する加湿水供給手段を設けたことを特徴とする請求項１に記載の加湿装置。
【請求項７】
上面を開口とした有底筒状にフィルター材を配置して前記加湿フィルターを形成し、前記貯水容器の前記水を前記加湿フィルターに供給する加湿水供給手段を設けたことを特徴とする請求項１に記載の加湿装置。
【請求項８】
前記加湿水供給手段を、吸水材で形成したことを特徴とする請求項６又は請求項７に記載の加湿装置。
【請求項９】
前記加湿フィルターの上面の前記開口を前記フィルター材で閉塞したことを特徴とする請求項１に記載の加湿装置。
【請求項１０】
前記加湿フィルターを鉛直面に対して傾けて配置したことを特徴とする請求項５に記載の加湿装置。
【発明の詳細な説明】
【技術分野】
【０００１】
本発明は、貯水容器に貯水した水に一部を浸漬した加湿フィルターに通風して加湿する気化式の加湿装置に関するものである。
【背景技術】
【０００２】
従来、この種の加湿装置において、室内の空気を本体に広く形成した吸込口から吸い込み、本体内に配設した加湿フィルターに広い面から通過させて、通気特性を向上させるとともに、加湿フィルターの気化効率を向上させたものが知られている（例えば、特許文献１参照）。
【０００３】
以下、特許文献１に記載の加湿器について説明する。
【０００４】
上面に吹出開口が開設された角柱状の筐体を有する加湿器の内部に、貯水した水受け水槽と、水受け水槽の水にその下端部が浸されるように配置された平面視略四角形状の加湿用吸水体と、水受け水槽に水を供給する給水タンクとを配設している。
【０００５】
そして、本体には、両側面および後面に空気取入口を開設し、空気取入口から吹出開口につながる風路に吹出用送風機を設け、空気取入口から本体内に導入された室内空気が加湿用吸水体の外表面から内側の空間に導かれた後、加湿空気が吹出用送風機を介して室内に吹き出される。
【先行技術文献】
【特許文献】
【０００６】
【特許文献１】特開２００２−８９８９５号公報
【発明の概要】
【発明が解決しようとする課題】
【０００７】
このような特許文献１に記載の加湿器では、空気取入口は、本体の両側面および後面に開設され、広い面積で多方向の開口から加湿用吸水体に室内空気が送風される。しかし、開口する本体の側面の数が多いので騒音が増大する。また、両側面の空気取入口は本体の前方から使用者の目に入る位置に形成されているので製品の外観上好ましくない。さらに、製品を室内に置いたとき、室内の調度品や壁面に塞がれることとなり得る空気取入口の形成面が増えて、通気特性が低下する場合が多い。
【０００８】
そこで、本発明は、上記従来の課題を解決して、騒音の増大を抑えるとともに製品の外観を損なうことなく、加湿フィルターの通気特性が向上し、気化効率を向上させた加湿装置を提供することを目的とする。
【課題を解決するための手段】
【０００９】
そして、この目的を達成するために、本発明の加湿装置は、幅寸法が奥行き寸法より大きな本体ケースの内部に、送風手段と、貯水する貯水容器と、前記貯水容器から吸水する加湿フィルターと、前記貯水容器に水を供給する給水タンクとを備え、前記送風手段を、前記本体ケースの一側方の空間に配置し、前記給水タンクを、前記本体ケースの他側方の空間に配置し、前記貯水容器を、前記一側方の空間下部と前記他側方の空間下部に配置し、前記本体ケースのケース背面又はケース側面の少なくとも一方に吸込口を形成し、前記本体ケースのケース天面に吹出口を形成した加湿装置であって、前記ケース天面を、前記一側方の空間上部を覆う送風側天面と、前記他側方の空間上部を覆うタンク側天面とで構成し、前記送風手段を、ファン吸気口を下方としてモータ部を前記送風側天面に取り付け、前記吹出口を、平面視で前記モータ部の配設位置以外となる前記送風側天面に配置し、前記送風手段の下方に導風筒を設け、前記導風筒によって、加湿空気を前記ファン吸気口に導く中央連通口を形成し、前記吸込口から前記中央連通口に至る風路に、前記加湿フィルターを配置し、前記中央連通口の外周には仕切部が形成され、前記仕切部によって一側方の空間を下方空間と上方空間とに仕切り、前記上方空間が下方に向かうにしたがって広がる筒状である前記導風筒の外周部に形成され、上下面を開口とした枠状にフィルター材を配置して前記加湿フィルターを形成し、前記加湿フィルターの上端部を中央連通口の周囲に当接させ、前記加湿フィルターを前記下方空間に配置するとともに前記貯水容器内に載置し、前記吸込口を、上下方向に上部吸込口と下部吸込口とに２分割し、前記下部吸込口を前記下方空間に臨んで開口し、前記上部吸込口を前記上方空間に臨んで開口し、前記仕切部が、前記本体ケースのケース前面側に前方連通口を形成し、前記前方連通口によって、前記上方空間と前記下方空間とを連通し、前記上方空間によって、前記上部吸込口から前記前方連通口に至る吸込風路が形成されることを特徴とする。
【発明の効果】
【００１０】
本発明によれば、スムーズな空気流れを実現でき、吹出口を大きく形成できるため均一な空気流れを実現でき、加湿性能が向上するとともに空気流れの乱れによる騒音を低減できる。
【００１１】
また本発明によれば、加湿フィルターにおける室内空気の通風は、本体ケースの裏面側である背面に形成された下部吸込口と上部吸込口から室内空気が吸い込まれ、加湿フィルターの後方側と前方側の両方向から加湿フィルターに通風され、吸込口が裏面側のみとなることで、騒音の増大を抑えた上で、製品の外観を損なうことなく、かつ、加湿フィルターの前後方向から通風して、加湿フィルターの気化効率を向上させることができる、という効果を奏する。
【図面の簡単な説明】
【００１２】
【図１】本発明の実施の形態１の加湿装置をケース前面側から見た斜視図
【図２】同加湿装置をケース背面側から見た斜視図
【図３】同加湿装置の縦断面図
【図４】同加湿装置の本体ケース内を示す後方から見た斜視図
【図５】同加湿装置の本体ケース内を示す前方から見た斜視図
【図６】同加湿装置の本体ケース内を示す一部破断斜視図
【図７】本発明の実施の形態２の加湿装置の本体ケース内を示す一部破断斜視図
【図８】本発明の実施の形態３の加湿装置の本体ケース内を示す一部破断斜視図
【図９】本発明の実施の形態４の加湿装置の本体ケース内を示す一部破断斜視図
【図１０】本発明の実施の形態５の加湿装置の本体ケース内を示す一部破断斜視図
【図１１】本発明の実施の形態６の加湿装置の本体ケース内を示す一部破断斜視図
【発明を実施するための形態】
【００１５】
本発明の実施の形態１による加湿装置は、ケース天面を、一側方の空間上部を覆う送風側天面と、他側方の空間上部を覆うタンク側天面とで構成し、送風手段を、ファン吸気口を下方としてモータ部を送風側天面に取り付け、吹出口を、平面視でモータ部の配設位置以外となる送風側天面に配置し、送風手段の下方に導風筒を設け、導風筒によって、加湿空気をファン吸気口に導く中央連通口を形成し、吸込口から中央連通口に至る風路に、加湿フィルターを配置し、前記中央連通口の外周には仕切部が形成され、前記仕切部によって一側方の空間を下方空間と上方空間とに仕切り、前記上方空間が下方に向かうにしたがって広がる筒状である前記導風筒の外周部に形成され、上下面を開口とした枠状にフィルター材を配置して前記加湿フィルターを形成し、前記加湿フィルターの上端部を中央連通口の周囲に当接させ、前記加湿フィルターを前記下方空間に配置するとともに前記貯水容器内に載置し、前記吸込口を、上下方向に上部吸込口と下部吸込口とに２分割し、前記下部吸込口を前記下方空間に臨んで開口し、前記上部吸込口を前記上方空間に臨んで開口し、前記仕切部が、前記本体ケースのケース前面側に前方連通口を形成し、前記前方連通口によって、前記上方空間と前記下方空間とを連通し、前記上方空間によって、前記上部吸込口から前記前方連通口に至る吸込風路が形成されるものである。
【００１６】
本実施の形態によれば、送風手段を送風側天面に取り付け、吹出口を平面視でモータ部の配設位置以外となる送風側天面に配置し、送風手段の下方から吸い込んだ空気を送風側天面から吹き出すことで、スムーズな空気流れを実現でき、吹出口を大きく形成できるため、均一な空気流れを実現でき加湿性能が向上するとともに空気流れの乱れによる騒音を低減でき、加湿フィルターにおける室内空気の通風は、本体ケースの裏面側である背面に形成された下部吸込口と上部吸込口から室内空気が吸い込まれ、加湿フィルターの後方側と前方側の両方向から加湿フィルターに通風され、吸込口が裏面側のみとなることで、騒音の増大を抑えた上で、製品の外観を損なうことなく、かつ、加湿フィルターの前後方向から通風して、加湿フィルターの気化効率を向上させることができる、という効果を奏する。
【００１７】
また本実施の形態による加湿装置は、吸込口をケース背面に形成し、仕切部が、ケース側面側に側方連通口を形成し、側方連通口によって、上方空間と下方空間とを連通したものである。
【００１８】
本実施の形態によれば、加湿フィルターには、側方からも通風されることとなり、加湿フィルターの気化効率がより向上する。
【００１９】
また本実施の形態による加湿装置は、本体ケースを、平面視で長円形状としたものである。
【００２０】
本実施の形態によれば、背面が曲面状となって、吸込口を大きく形成することができるとともに、吸込風路における通気流は、本体ケース側方の円弧面により前面側に滑らかな流れで案内され、吸込口からの通気特性が向上し、騒音をさらに抑えることができる。
【００２１】
また本実施の形態による加湿装置は、吸込口を、一側方の空間を形成するケース背面と、他側方の空間を形成するケース背面とに形成したものである。
【００２２】
本実施の形態によれば、本体ケースの一側方に給水タンクを収納する構成であっても、加湿フィルターに前後および両側方から通風することができ、給水タンクの収納に影響されることなく、加湿フィルターの気化効率を向上させることができる。
【００２３】
また本実施の形態による加湿装置は、導風筒は、上方空間の中央部に設けられ、中央連通口を上方空間の中央部に配置し、導風筒が円弧状の外周面を備えて筒状に形成されたものである。
【００２４】
本実施の形態によれば、吸込風路における通気流は、導風筒の両側を円弧状外周面に沿いながら流れ、吸込風路を偏ることなく滑らかな流れとなって下方空間に吸い込まれていき、上部吸込口からの通気特性がより向上する。
【００２５】
また本実施の形態による加湿装置は、導風筒を、下方に向かうにしたがって拡大する形状としたものである。
【００２６】
本実施の形態によれば、吸込風路における通気流は、下方空間にさらに滑らかな流れで案内されて吸い込まれていき、上部吸込口からの通気特性がさらに向上する。
【００２７】
また本発明の実施の形態２による加湿装置は、板状にフィルター材を配置して加湿フィルターを形成したものである。
【００２８】
本実施の形態によれば、加湿フィルターでの均一な空気流れを実現でき、加湿性能が向上するとともに空気流れの乱れによる騒音を低減できる。
【００２９】
また本発明の実施の形態３による加湿装置は、中央連通口を加湿フィルターで覆い、貯水容器の水を加湿フィルターに供給する加湿水供給手段を設けたものである。
【００３０】
本実施の形態によれば、実施の形態１に比較して、均一な空気流れを実現でき加湿性能が向上するとともに空気流れの乱れによる騒音を低減できる。
【００３１】
また本発明の実施の形態４による加湿装置は、上面を開口とした有底筒状にフィルター材を配置して加湿フィルターを形成し、貯水容器の水を加湿フィルターに供給する加湿水供給手段を設けたものである。
【００３２】
本実施の形態によれば、実施の形態３に比較して、フィルター材の表面積を大きくでき、均一な空気流れを実現でき加湿性能が向上するとともに空気流れの乱れによる騒音を低減できる。
【００３３】
また本発明の実施の形態３又は実施の形態４による加湿装置は、加湿水供給手段を、吸水材で形成したものである。
【００３４】
本実施の形態によれば、確実に安定して加湿水供給手段に給水を行うことができる。
【００３５】
また本発明の実施の形態５による加湿装置は、加湿フィルターの上面開口をフィルター材で閉塞したものである。
【００３６】
本実施の形態によれば、実施の形態１に比較して、フィルター材を上面にも配置することで、フィルター材を分散できるので、加湿フィルターを小型化することができる。
【００３７】
また本発明の実施の形態６による加湿装置は、加湿フィルターを鉛直面に対して傾けて配置したものである。
【００３８】
本実施の形態によれば、実施の形態２よりもさらに、フィルター材の表面積を大きくでき、加湿フィルターでの均一な空気流れを実現でき、加湿性能が向上するとともに空気流れの乱れによる騒音を低減できる。
【００３９】
以下、本発明の実施の形態について、図を用いて説明する。
【００４０】
（実施の形態１）
図１は、本発明の実施の形態１の加湿装置をケース前面側から見た斜視図である。
【００４１】
本実施の形態による加湿装置は、幅寸法Ｗが奥行き寸法Ｌより大きな本体ケース１で覆われている。本体ケース１は、ケース前面１ａ、一側方のケース側面１ｂ、ケース背面１ｃ、及び他側方のケース側面１ｄによって側面が覆われている。また本体ケース１の天面は、一側方の空間上部を覆う送風側天面１ｅと、他側方の空間上部を覆うタンク側天面１ｆとで覆われ、天面外形は、平面視で長円形状としている。
【００４２】
送風側天面１ｅには、吹出口１０を形成している。吹出口１０は、タンク側天面１ｆと接する外縁以外の送風側天面１ｅの外縁に沿って、Ｕ字状に設けている。
【００４３】
図２は、同加湿装置をケース背面側から見た斜視図である。
【００４４】
同加湿装置は、ケース背面１ｃの全幅にわたって吸込口１７を設けている。吸込口１７は、上下方向に上部吸込口１５と下部吸込口１６とに２分割されている。
【００４５】
図３は、同加湿装置の縦断面図である。
【００４６】
同加湿装置は、本体ケース１の内部に、送風手段８と、貯水する貯水容器１１と、貯水容器１１から吸水する加湿フィルター１２Ｐと、貯水容器１１に水を供給する給水タンク１３とを備えている。
【００４７】
送風手段８は、本体ケース１の一側方の空間ａに配置している。給水タンク１３は、本体ケース１の他側方の空間ｂに配置している。他側方の空間ｂは、給水タンク１３の収納空間を形成している。
【００４８】
送風手段８は、ファン吸気口８ａを構成する筒状部材８ｂと、複数の羽根８ｃを立設する回転体８ｄと、モータ部８ｅとから構成される。筒状部材８ｂは羽根８ｃと接合されている。従って、モータ部８ｅの駆動によって、筒状部材８ｂは回転体８ｄとともに回転する。
【００４９】
送風手段８は、ファン吸気口８ａを下方としてモータ部８ｅを送風側天面１ｅの下面に取り付けている。モータ部８ｅは、送風側天面１ｅの中央に配置し、図１及び図２に示す吹出口１０は、平面視でモータ部８ｅの配設位置以外となる送風側天面１ｅに配置している。
【００５０】
送風手段８の下方には、導風筒９を設けている。導風筒９は、加湿空気をファン吸気口８ａに導く中央連通口２を形成している。中央連通口２の外周には仕切部３が形成されている。
【００５１】
導風筒９は、円弧状の外周面を備えた筒状で、さらに、下方に向かうにしたがって広がる形状に形成され、送風手段８の下方の空間となる上方空間ｄに位置し、一側方の空間ａの水平面の中央部に位置している。
【００５２】
一側方の空間ａは、仕切部３によって下方空間ｃと上方空間ｄとに仕切られる。上方空間ｄは、導風筒９の外周部に形成される。なお、下部吸込口１６は下方空間ｃに臨んで開口し、上部吸込口１５は上方空間ｄに臨んで開口している。
【００５３】
本体ケース１の一側方の空間ａと、本体ケース１の他側方の空間ｂとの間には、内側板６が縦方向に配設されている。内側板６は、本体ケース１の天面から仕切部３の間に設けられている。従って、内側板６は、送風手段８の風路と他側方の空間ｂとを仕切っている。また、内側板６は、上方空間ｄと他側方の空間ｂとを仕切っている。なお、下方空間ｃと他側方の空間ｂとは連通している。
【００５４】
貯水容器１１は、一側方の空間ａ下部と他側方の空間ｂ下部に配置されている。貯水容器１１は、下方空間ｃの下部から給水タンク１３の収納空間となる他側方の空間ｂの下部にかけて、上方を開口し一定水位の水を貯水するトレーで構成されている。
【００５５】
下方空間ｃに位置する貯水容器１１には、上下方向に開口した枠状の加湿フィルター１２Ｐが、その下部を水に浸漬し上端部を中央連通口２の周囲に当接させて、載置されている。
【００５６】
他側方の空間ｂは、本体ケース１の天面に形成されたタンク側天面１ｆの下方に形成され、貯水容器１１に給水する給水タンク１３が収納される。給水タンク１３は、タンク側天面１ｆを開いて他側方の空間ｂに挿入され、配設された貯水容器１１の開口部に着脱自在に装着される。
【００５７】
貯水容器１１、加湿フィルター１２Ｐ、及び給水タンク１３によって加湿手段１４が構成される。
【００５８】
図４は、同加湿装置の本体ケース内を示す後方から見た斜視図である。
【００５９】
下方空間ｃには図２で示す下部吸込口１６が位置し、上方空間ｄには図２で示す上部吸込口１５が位置する。導風筒９の外周部に形成される上方空間ｄは吸込風路１８を構成する。
【００６０】
加湿フィルター１２Ｐは、上下面を開口とした枠状にフィルター材を配置して形成される。
【００６１】
枠状をなす加湿フィルター１２Ｐの空気吸込面のうち、後側吸込面１２ａは図２で示す下部吸込口１６に位置する。なお、空気吸込面のうち、後側吸込面（図示せず）及び一方の側方吸込面１２ｂには、吸込風路１８から室内空気が流入する。また、他方の側方吸込面（図示せず）には、給水タンク１３が配置される他側方の空間ｂから室内空気が流入する。他側方の空間ｂには、ケース背面１ｃに設けた上部吸込口１５及び下部吸込口１６から室内空気が流入する。
【００６２】
図５は、同加湿装置の本体ケース内を示す前方から見た斜視図である。
【００６３】
仕切部３には、本体ケース１のケース前面１ａ側に前方連通口１９を形成し、ケース側面１ｂ側に側方連通口２０を形成している。
【００６４】
前方連通口１９は、上方空間ｄと、下方空間ｃとを連通している。側方連通口２０は、上方空間ｄと下方空間ｃとを連通ししている。そして、上方空間ｄによって、上部吸込口１５から前方連通口１９及び側方連通口２０に至る吸込風路１８が形成される。
【００６５】
図６は、同加湿装置の本体ケース内を示す一部破断斜視図である。
【００６６】
加湿フィルター１２Ｐは、吸込口１７から中央連通口２に至る風路に配置している。加湿フィルター１２Ｐは、上下面を開口とした枠状にフィルター材を配置している。
【００６７】
中央連通口２は、上方空間ｄの中央部に配置され、導風筒９は円弧状の外周面を備えて筒状に形成されている。
【００６８】
導風筒９は、下方に向かうにしたがって拡大する形状としている。
【００６９】
次に、同加湿装置の運転について説明する。
【００７０】
電源を入れて同加湿装置を運転すると、送風手段８が動作し、室内空気が上部吸込口１５及び下部吸込口１６から吸い込まれる。
【００７１】
一側方の空間ａを形成するケース背面１ｃの下部吸込口１６から吸い込まれた室内空気は、加湿フィルター１２Ｐの後方側の下方空間ｃに吸い込まれる。
【００７２】
また、一側方の空間ａを形成するケース背面１ｃの上部吸込口１５から吸い込まれた室内空気は、吸込風路１８から前方連通口１９と側方連通口２０に至る。
【００７３】
前方連通口１９からの室内空気は、加湿フィルター１２Ｐの前方側の下方空間ｃに流入する。また、側方連通口２０からの室内空気は、加湿フィルター１２Ｐの一側方の下方空間ｃに流入する。
【００７４】
このとき、導風筒９は上方空間ｄの中央部に円弧状の外周面を備えて設けているので、吸込風路１８における通風流は、吸込風路１８中で一方に偏ることなく円弧状の外周面に沿う滑らかな流れとなる。さらに、導風筒９は下方に向かうにしたがって広がる形状をしているので、吸込風路１８における通風流は、前方連通口１９と側方連通口２０とに滑らかに流れるように案内される。
【００７５】
また、室内空気は、他側方の空間ｂを形成するケース背面１ｃの上部吸込口１５と下部吸込口１６から、他側方の空間ｂに流入する。他側方の空間ｂに流入した室内空気は、加湿フィルター１２Ｐの他側方の下方空間ｃに流入する。
【００７６】
そして、加湿フィルター１２Ｐの全周の下方空間ｃに流入した室内空気は、枠状の加湿フィルター１２Ｐの内側空間２１に吸い込まれる。このとき、加湿フィルター１２Ｐは、全周から空気を吸い込み、かつ、上端開口部は仕切部３に当接しているので、加湿フィルター１２Ｐの吸込面には全周にわたって送風手段８の吸気による負圧がほぼ均等にかかり、加湿フィルター１２Ｐにおける通気特性が向上する。
【００７７】
そして、加湿フィルター１２Ｐの吸込面を通過して内側空間２１に吸い込まれることで加湿された空気は、送風手段８によって吹出口１０から室内に吹き出される。
【００７８】
このように本実施の形態１の加湿装置では、吸込口１７は、平面視長円形状の本体ケース１の背面に側端部近くまで形成されるので、湾曲した形状となって平面に比べて広く開口できる。また、吸込口１７は、下方空間ｃに臨む開口からなる下部吸込口１６に加えて、下方空間ｃに前方および側方から連通する上部吸込口１５を形成しているので、左右および上下の方向に広く形成される。
【００７９】
そして、上記のように加湿フィルター１２Ｐには、その前後左右の４方向から流入した空気が吸い込まれるので、通気特性が良好なものとなって気化効率が向上する。しかも、これらの４方向からの室内空気は本体ケース１の背面側のみに設けた吸込口１７から吸い込まれて流入するので、本体ケース１の前方側に位置する使用者に伝播する騒音を低減させることができるとともに、吸込口１７は本体ケース１の前方側から使用者の目に入らないので、製品の外観が良好なものとなる。
【００８０】
なお、本実施の形態で用いた加湿フィルター１２Ｐは、全周にフィルター材を配置した枠状としたが、枠状の一部がフィルター材以外の部材で閉塞されていてもよい。
【００８１】
（実施の形態２）
図７は、本発明の実施の形態２の加湿装置の本体ケース内を示す一部破断斜視図である。なお、上記実施の形態と同一部材には同一符号を付して説明を一部省略する。
【００８２】
実施の形態１では、上下面を開口とした枠状にフィルター材を配置した加湿フィルター１２Ｐを用いたが、実施の形態２では、板状にフィルター材を配置した加湿フィルター１２Ｑを用いる。
【００８３】
板状にフィルター材を配置した加湿フィルター１２Ｑを用いる場合には、加湿フィルター１２Ｑに対向する本体ケース１の面に吸込口（下部吸込口）１６を設けることが好ましい。従って、実施の形態１で説明した上部吸込口１５や吸込風路１８は本実施の形態では必要としない。
【００８４】
ただし、加湿フィルター１２Ｑを下部吸込口１６に対向させずに設けてもよい。例えば、加湿フィルター１２Ｑを、本体ケース１の前面や側面に配置した場合には、実施の形態１で説明した吸込風路１８によって、上部吸込口１５から加湿フィルター１２Ｑに室内空気を導くことが好ましい。
【００８５】
下部吸込口１６から吸い込まれるすべての室内空気は、加湿フィルター１２Ｑを通過して中央連通口２に導かれる。
【００８６】
本実施の形態によれば、加湿フィルター１２Ｑでの均一な空気流れを実現でき、加湿性能が向上するとともに空気流れの乱れによる騒音を低減できる。そして、加湿性能の向上によって省エネ化を図れるとともに、整流効果によって送風手段の効率化を図ることができる。
【００８７】
なお、加湿フィルター１２Ｑは、一部又は全部が湾曲した板状であってもよい。
【００８８】
（実施の形態３）
図８は、本発明の実施の形態３の加湿装置の本体ケース内を示す一部破断斜視図である。なお、上記実施の形態と同一部材には同一符号を付して説明を一部省略する。
【００８９】
実施の形態１では、上下面を開口とした枠状にフィルター材を配置した加湿フィルター１２Ｐを用いたが、実施の形態３では、中央連通口２を覆う加湿フィルター１２Ｒを用いている。加湿フィルター１２Ｒは、平面視で円形又は多角形の外形からなる板状のフィルター材で形成する。加湿フィルター１２Ｒには、加湿水供給手段２２によって給水する。加湿水供給手段２２は、吸水材で形成され、下端部を貯水容器１１内の水に浸漬し、上端部を加湿フィルター１２Ｒに接続している。
【００９０】
なお、加湿水供給手段２２は、中央連通口２の上流側と下流側との差圧を用いたものであってもよく、ポンプ機能によるものでもよい。
【００９１】
本実施の形態によれば、実施の形態１に比較して、均一な空気流れを実現でき加湿性能が向上するとともに空気流れの乱れによる騒音を低減できる。そして、加湿性能の向上によって省エネ化を図れるとともに、整流効果によって送風手段の効率化を図ることができる。
【００９２】
また本実施の形態によれば、加湿水供給手段を、吸水材で形成したことで確実に安定して給水を行うことができる。
【００９３】
（実施の形態４）
図９は、本発明の実施の形態４の加湿装置の本体ケース内を示す一部破断斜視図である。なお、上記実施の形態と同一部材には同一符号を付して説明を一部省略する。
【００９４】
実施の形態１では、上下面を開口とした枠状にフィルター材を配置した加湿フィルター１２Ｐを用いたが、実施の形態４では、上面を開口とした有底筒状にフィルター材を配置した加湿フィルター１２Ｓを用いている。加湿フィルター１２Ｓは、開口とした上面を中央連通口２に配置している。加湿フィルター１２Ｓには、加湿水供給手段２２によって給水する。加湿水供給手段２２は、吸水材で形成され、下端部を貯水容器１１内の水に浸漬し、上端部を加湿フィルター１２Ｓに接続している。
【００９５】
なお、加湿水供給手段２２は、中央連通口２の上流側と下流側との差圧を用いたものであってもよく、ポンプ機能によるものでもよい。
【００９６】
本実施の形態によれば、実施の形態３に比較して、フィルター材の表面積を大きくでき、均一な空気流れを実現でき加湿性能が向上するとともに空気流れの乱れによる騒音を低減できる。そして、加湿性能の向上によって省エネ化を図れるとともに、整流効果によって送風手段の効率化を図ることができる。
【００９７】
また本実施の形態によれば、加湿水供給手段を、吸水材で形成したことで確実に安定して給水を行うことができる。
【００９８】
（実施の形態５）
図１０は、本発明の実施の形態５の加湿装置の本体ケース内を示す一部破断斜視図である。なお、上記実施の形態と同一部材には同一符号を付して説明を一部省略する。
【００９９】
実施の形態１では、上下面を開口とした枠状にフィルター材を配置した加湿フィルター１２Ｐを用いたが、実施の形態５では、加湿フィルター１２Ｐの上面開口をフィルター材で閉塞した加湿フィルター１２Ｔを用いている。
【０１００】
本実施の形態によれば、実施の形態１に比較して、フィルター材を上面にも配置することで、フィルター材を分散できるので、加湿フィルター１２Ｔは加湿フィルター１２Ｐよりも小型化することができる。
【０１０１】
（実施の形態６）
図１１は、本発明の実施の形態６の加湿装置の本体ケース内を示す一部破断斜視図である。なお、上記実施の形態と同一部材には同一符号を付して説明を一部省略する。
【０１０２】
実施の形態２では、板状にフィルター材を配置した加湿フィルター１２Ｑを用いたが、実施の形態６では、この加湿フィルター１２Ｑを鉛直面に対して傾けて配置したものである。
【０１０３】
加湿フィルター１２Ｑは、下端を中央連通口２の中心に近くなるように傾けることが好ましい。
【０１０４】
本実施の形態によれば、実施の形態２よりもさらに、フィルター材の表面積を大きくでき、加湿フィルター１２Ｑでの均一な空気流れを実現でき、加湿性能が向上するとともに空気流れの乱れによる騒音を低減できる。そして、加湿性能の向上によって省エネ化を図れるとともに、整流効果によって送風手段の効率化を図ることができる。
【０１０５】
なお、加湿フィルター１２Ｑは、一部又は全部が湾曲した板状であってもよい。
【産業上の利用可能性】
【０１０６】
本発明に係る加湿装置は、騒音の増大を抑えた上で、製品の外観を損なうことなく、加湿フィルターの前後方向から通風して、加湿フィルターの気化効率を向上させることができる、という効果を有し、室内に置かれる加湿装置として有用である。
【符号の説明】
【０１０７】
１      本体ケース
２      中央連通口
３      仕切部
８      送風手段
８ａ    ファン吸気口
９      導風筒
１０    吹出口
１１    貯水容器
１２Ｐ  加湿フィルター
１２Ｑ  加湿フィルター
１２Ｒ  加湿フィルター
１２Ｓ  加湿フィルター
１２Ｔ  加湿フィルター
１３    給水タンク
１４    加湿手段
１５    上部吸込口
１６    下部吸込口
１７    吸込口
１８    吸込風路
１９    前方連通口
２０    側方連通口
ａ    一側方の空間
ｂ    他側方の空間
ｃ    下方空間
ｄ    上方空間
【図１】
0006028218.tif 000002
【図２】
0006028218.tif 000003
【図３】
0006028218.tif 000004
【図４】
0006028218.tif 000005
【図５】
0006028218.tif 000006
【図６】
0006028218.tif 000007
【図７】
0006028218.tif 000008
【図８】
0006028218.tif 000009
【図９】
0006028218.tif 000010
【図１０】
0006028218.tif 000011
【図１１】
0006028218.tif 000012